(57)【要約】
【課題】　計測の過程が簡単で、元々機能がついている物を操作することにより自らの体温を知り、常に体の状態を確実に把握することが可能である温度感知装置を提供する。
【解決手段】　バンドルバー１２、温度感知機構１０、Ａ−Ｄコンバータ１８、演算処理機構２２、及び表示機構２３を備え、各温度検知ユニット１６がハンドルバー１２の所定の位置に装着される。皮膚の温度の高さに伴い、アナログ信号を発生させ、Ａ−Ｄコンバータ１８は各温度感知ユニット１６により発生される前記アナログ信号をデジタル信号に転換可能である。演算処理機構はＡ−Ｄコンバータにより出力される前記デジタル信号に従い、換算処理を進行させ各温度感知ユニット１６により接触される受検者の前記皮膚の温度値を求める。表示機構２３により算出される前記体温値を表示可能である。
【選択図】　　図１
0003100057.tif 000002
【実用新案登録請求の範囲】
【請求項１】
　受検者により握られるハンドルバーと、
　少なくとも一つの温度感知ユニットを有し、各温度検知ユニットはハンドルバーの所定の位置に装着され、受検者の平手か指の皮膚に接触し、受検者の前記皮膚の温度の高さに伴い、物理量化に対応する関係のあるアナログ信号を発生させる温度感知機構と、
　各温度感知ユニットにより発生される前記アナログ信号を、物理量化に対応する関係のあるデジタル信号に転換するＡ−Ｄコンバータと、
　Ａ−Ｄコンバータにより出力される前記デジタル信号に従い、演算処理を進行させ各温度感知ユニットにより接触される受検者の前記皮膚の温度値を求め、又、特定公式により受検者の体温値を算出する演算処理機構と、
　数字形式で演算処理機構により算出される前記体温値を表示する表示機構とを備えることを特徴とするハンドル方式により計測する体温感知装置。
【請求項２】
　温度感知機構は受検者の両手の皮膚とそれぞれ接触する二つの温度感知ユニットから構成され、Ａ−Ｄコンバータは各温度感知ユニットにより発生されるアナログ信号を一組のデジタル信号に転換可能であり、演算処理機構はＡ−Ｄコンバータにより出力される二組のデジタル信号をそれぞれ受検者に対応する皮膚の温度値に換算し、そして該二つの皮膚の温度値を足し二で割ってから、その平均値に修正値を加え、前記体温値を算出することを特徴とする請求項１記載のハンドル方式により計測する体温感知装置。
【請求項３】
　ハンドルバーはボディービル用具のハンドルバーであることを特徴とする請求項２記載のハンドル方式により計測する体温感知装置。
【請求項４】
　温度感知機構は単一な温度感知ユニットから構成され、演算処理機構はＡ−Ｄコンバータにより出力されるデジタル信号を温度感知ユニットにより接触される受検者の皮膚の温度値に換算し、そして所定の修正値を加え、前記体温値を算出することを特徴とする請求項１記載のハンドル方式により計測する体温感知装置。
【請求項５】
　ハンドルバーは筆道具のボディーであるとことを特徴とする請求項４記載のハンドル方式により計測する体温感知装置。
【請求項６】
　前記修正値は約４℃であることを特徴とする請求項２或は請求項４記載のハンドル方式により計測する体温感知装置。
【請求項７】
　温度感知機構は人の手が温度感知ユニットの感知範囲内に置かれるか否かを検知する感知ユニットを備えることを特徴とする請求項１記載のハンドル方式により計測する体温感知装置。
【請求項８】
　感知ユニットは光センサーによる距離検知器であることを特徴とする請求項７記載のハンドル方式により計測する体温感知装置。
【請求項９】
　演算処理機構に接続され、受検者にデータを演算処理機構に入力させるデータ入力機構を備え、演算処理機構は受検者により入力される前記データに従って演算処理を進行させることを特徴とする請求項１記載のハンドル方式により計測する体温感知装置。
【請求項１０】
　データ入力機構は受検者が正常な状態の体温値を入力するものに用いられることを特徴とする請求項９記載のハンドル方式により計測する体温感知装置。
【請求項１１】
　各温度感知機構はサーミスタ、熱電対、赤外線温度検知計又はレーザー温度検知器のいずれか一つであることを特徴とする請求項１記載のハンドル方式により計測する体温感知装置。
【請求項１２】
　算出された前記体温値が所定の値を超えた場合、演算処理機構は表示機構により注意又は警告信号をあらためて表示することを特徴とする請求項１記載のハンドル方式により計測する体温感知装置。
【考案の詳細な説明】
【技術分野】
【０００１】
　本考案は、ハンドル方式により測量する体温感知装置に関する。
【背景技術】
【０００２】
　従来の水銀体温計は使用される場合、受検者の脇温度又は口内温度を測る時が多い。つまり受検者が体温計を暫く脇の下に挟んだり、口内に入れたりしなければならいため、測る時間が長いだけでなく、測る過程では受検者の行動を極めて制限するものである。現今それよりやや進歩している赤外線体温計（例えば耳温度ガン又は額温度ガン）は受検者に直接に接触する必要がなく、測るに必要な時間も縮小するが、測る際に受検者は静止状態を暫く保持させられる（しないと結果に影響を与える）。とにかく、周知の体温感知装置は受検者に自然体で体温を測らせることが不可能である。
【０００３】
　又、従来の体温計又は赤外線体温計を使用し、自ら又は他人の体温を測ろうとするのは、普通、自ら体の調子をおかしく感じたり、他人の体の調子が良くなさそうに見えたりする時である。つまり、体温計を使用しようとする時には発熱の症状がすでに現れたものである。このような習慣なら、人は体温の変化に気付き、適当な対策を取ることが難しい。健康管理を重視している現代人には真剣に見直すべきである。
【考案の開示】
【考案が解決しようとする課題】
【０００４】
　したがって、本考案は、上記の問題を解決するためになされたものであり、本考案の主な目的は、各種のハンドルバーを有する物に適用し、ハンドル方式により体温を計測することが可能であり、計測の過程が簡単になり、使用者の活動の邪魔にならないと同時に、元々機能がついている物（ボディービル用具、筆道具、車両のハンドル）に採用する場合、その物を操作することにより自らの体温を知り、常に体の状態を確実に把握することが可能である温度感知装置を提供することにある。
【課題を解決するための手段】
【０００５】
　上述の目的を達成するために、本考案の請求項に記載のハンドル方式により計測する温度感知装置は、バンドルバー、温度感知機構、Ａ−Ｄコンバータ、演算処理機構、及び表示機構を備える。ハンドルバーは受検者により握られる。温度感知機構は少なくとも温度感知ユニットを一つ有し、各温度検知ユニットがハンドルバーの所定の位置に装着される。受検者の平手か指の皮膚に接触し、受検者の前述皮膚の温度の高さに伴い、物理量化に対応する関係のあるアナログ信号を発生させ、Ａ−Ｄコンバータは各温度感知ユニットにより発生される前述アナログ信号を物理量化に対応する関係のあるデジタル信号に転換可能である。演算処理機構はＡ−Ｄコンバータにより出力される前述デジタル信号に従い、換算処理を進行させ各温度感知ユニットにより接触される受検者の前述皮膚の温度値を求める。又、特定公式により受検者の体温値を算出可能であり、表示機構は数字形式で演算処理機構により算出される前述体温値を表示可能である。
【考案を実施するための最良の形態】
【０００６】
　以下、本考案の実施例を図面に基づいて説明する。
　図１に示すように、本考案によるハンドル方式により測量する体温感知装置の第一実施例はハンドルバーを有するボディービルサイクル１上（注：図に示されるのはボディービルサイクルの前端におけるハンドルバー及びパネルのみである）に採用される。該ボディービルサイクル１は一般の同類の器材と同じように運動、設定、表示などの機能（それらに相関する構造の説明を省く）を有し、特に本実施例の体温検知装置１０により、使用者はボディービルサイクル１のハンドルバーを握ると同時に、体温検査を進行させ、体温値を即時観察することが可能である。
【０００７】
　図２に示すように、本実施例による体温感知装置１０は下記のものを含む。
　ハンドルバー１２は本実施例におけるボディービルサイクル１のハンドルバーとして、受検者により握られる。
　温度感知機構１４は二つの温度感知ユニット１６から構成られ、各温度検知ユニット１６が周知の電子部品であって外界の温度に伴い、対応するアナログ式電気信号（大体電圧又は電流信号である）を発生させ、実務上、サーミスタ（マイナス温度係数又はプラス温度係数のサーミスタでも可能である）、熱電対、赤外線又はレーザー温度検知器を使用することも可能である。該温度検知ユニット１６はそれぞれハンドルバー１２の左右両端の所定位置に装着され、そのうちの外界の温度を感知する感知部１６１がハンドルバー１２の表面に露出しているため、使用者は運動中では適当な姿勢でハンドルバーを握れば、左右両手の平手の皮膚がそれぞれ該二つの温度感知ユニット１６の感知部１６１に接触することが可能である。該温度感知ユニット１６は受検者の平手の皮膚温度の高さに伴い、物理量化に対応する関係のある前述アナログ信号を発生させることが可能である。
【０００８】
　Ａ−Ｄコンバータ１８は、従来の電子回路であって、ボディービルサイクル１の前端のパネル２内部に装着され、温度感知機構１４と電気的に接続し、各温度感知ユニット１６により発生されるアナログ信号を、物理量化に対応する関係のある一組のデジタル信号に転換可能である。つまり、該Ａ−Ｄコンバータ１８は二組のデジタル信号を出力し、且つ信号の内容が二つの温度感知ユニット１６により接触される受検者の皮膚温度（即ち左手温度及び右手温度）に対応するものである。
【０００９】
　演算処理機構２２はボディービルサイクル１の前端のパネル２内部に装着され且つ特別に製作されるマイクロ処理装置（ｍｉｃｒｏ−ｐｒｏｃｅｓｓｏｒ）（注：実務上、前述転換機構１８と本処理機構２２をマイクロ処理装置に整合することが可能である）である。該演算処理機構２２はＡ−Ｄコンバータ１８により出力されるデジタル信号を受信し、その信号の内容を物理量化の数値に解読し、内蔵プログラム（計算公式）により、該数値に対し特定な数学演算を進行させ、そして演算結果（ほかの数値）をデジタル方式で出力する。概念上、演算処理機構２２は全部二つの演算プロセスを執行するものである。
【００１０】
　第一プロセスは入力された前述デジタル信号を、温度感知機構１４（該二つの感知ユニット１６）により接触される受検者の手の皮膚温度に換算し、本実施例では、Ａ−Ｄコンバータ１８により出力される前述二組のデジタル信号を、それぞれ受検者に対応する皮膚の温度（即ち、左手温度及び右手温度）（注：この換算のプロセスは前述デジタル信号による数値の大きさと前述の皮膚温度との間に所定の物理量化関係があることに依拠する）に換算し、そして該二つの皮膚温度を足し二で割ってから、受検者の手の皮膚温度の平均値を算出する。
【００１１】
　第二プロセスは算出された前述の皮膚温度に対し、適当な数値修正を行い、受検者の正確な体温値を算出することである。具体的に言えば、前述修正を行う理由は、人体の「皮膚温度」は「体内温度」と等しくないことにあり、実際検査、統計することにより、正常な状態における人体の皮膚温度は一般的に当時の体温より４℃前後（注：そのうちの皮膚温度及び体温はそれぞれ「皮膚の平均温度」及び「平均体温」を指し、いわゆる皮膚の平均温度及び平均体温というものは正式な定義を有するため説明を省く）低いことが見受けられる。言い換えれば、前述デジタル信号により算出される温度に４℃をあらため加えれば受検者の正確な体温（注：４℃の根拠は大体の説明であり、実際、人体の手の皮膚温度は前述「皮膚の平均温度」と微差がまたあり、実務上、一般の手の皮膚温度及び平均体温との差により修正し、最も正確な結果を得ることが可能である）となる。該演算処理機構２２は最終に算出される前述体温値をデジタル式電気信号の形式により出力する。
【００１２】
　表示機構２４は、ボディービルサイクル１のパネル２上（注：一般的にボディービルサイクルのその他の表示機能は同一の液晶画面に整合されている）に装着される。該表示機構２４は演算処理機構２２の出力端に電気的に接続され、演算処理機構２２により出力されるデジタル信号（受検者の体温を表す）により数字形式で前述体温値を（通常、二桁、一桁、及び小数点以下の一桁を含む）を表示し、受検者に観察をさせる。体温値を表示するほかには、体温値を所定の値に超えた時、注意信号又は警告信号の表示を改めて加えるように設計しても可能である。
【００１３】
　以上は本考案の第一実施例及び構成及び原理であった。本実施例による体温感知装置１０は前述の通りにボディービルサイクル１上に採用される場合、使用者は運動過程では両手でバンドルバー１２の左右両端の適当な位置を握ることで、体温感知装置１０は使用者の活動に支障をきたさず皮膚温度の検査を進行させ、検査結果を一般的に認知される体温値に換算し、パネル２の表示機構２４上に即時表示し、使用者に自らの体温を常にコンドロルさせることが可能である。
【００１４】
　前述の例では、受検者は運動状態においたため、皮膚温度が通常よりやや高く、正確な体温との差も微妙に変化し、数値の修正を進行させる時にほかの情報（例えば運動量又は温度変化の速度）を参考に綜合判断することが可能である。又、運動最中の人体の体温は運動の程度又は効果の指標を表す意義があるため、本使用例（ボディービル用具）は実用性が極めて高いものである。又、前述により本実施例は体温値を所定の値に超えた時、表示機構により注意信号又は警告信号を表示するように設計しても可能であり、又本例の如く、ボディービル用具に採用するとしたら、使用者の体温は運動前に既に正常な数値を超えた（即ち体の調子がよくなさそうな時）か、運動過程で体温の上昇が異常となった時（過量運動又はリズムがよくなさそうな時）に、本実施例は表示機構により強い信号を著しく表示することで使用者に運動を中止するか運動を緩和するアドバイスを与えるだけでなく、器械と接続し、自主的に運動の負荷を調整することも可能である。
【００１５】
　再び補充説明すべきなのは、現今多くのボディービル用具にはその他の人体の特性（心拍数又は体脂肪率）を感知可能な装置が装着してあり、前述感知装置は殆どハンドルバー上に人に接触させるための導電端子が装着され，特定の回路により人体の電圧脈拍を感知するか、抵抗体、コンデンサー値により心拍数又は体脂肪率を検知することである。実務上、本実施例の構造は前述の従来の装置と整合することで、更に全面な身体状態の情報を運動者に提供することが可能である。
【００１６】
　又、前述のボディービルサイクルのほかには、本考案はハンドルバーを有する各種のボディービル用具に適用される。図３は本考案（上述の第一実施例）がジョギングマシン３に採用される場合の使用状態を示す図であり、前述のタイプに類似し、ジョギングマシン３のハンドルバー（即ち本考案におけるハンドルバー）の両端には温度感知ユニット１６がそれぞれ装着され、ジョギングマシン３のパネル４内部にはＡ−Ｄコンバータ１８及び演算処理機構２２が装着され、且つパネル４上には表示機構２４が装着されることで、使用者はジョギングが進行する際、両手でハンドルバーを握ると同時に自らの当時の体温を観察することが可能である。
【００１７】
　図４は本考案の第一実施例によるもう一つの応用形態の外観を示す図である。本応用形態は複数の機能（詳しい説明を後にする）を有する検知器５となり、検知器５は本体６を有し、本体６の左右にハンドルバー（即ちハンドルバー１２）をそれぞれ有し、該二つのハンドルバー上に手の皮膚温度を感知する温度感知ユニット１６を有し、該主体６内部には電気信号の処理を進行させる前述のＡ−Ｄコンバータ及び演算処理機構（図内未表示）を有し、主体６の頂部には情報を表示する表示機構２４を有する。該検知器５は本考案に体温計測の機能が得られる。つまり使用者は必要により両手で検知器５の二つのハンドルバーを握り、前述の動作原理を通して表示機構２４により自らの当時の体温を観察するものである。同時に該検知器５はそのほかに時計（目覚まし時計）、心拍又は体脂肪量などを検知する機能を有するため、用途の広い健康管理マシンだと見られる。
【００１８】
　図５に示すように、本考案の第二実施例は筆道具７に採用される。図６に示すように、本実施例による体温感知装置３０は、下記の通含めるものである。
　バンドルバー３２は本実施例において筆道具７のボディーである。
【００１９】
　温度感知機構３４は本実施例において単一な温度感知ユニット３６（注：該感知ユニットは前述と同じであるため説明を省く）から構成される。温度感知ユニット３６はハンドルバー（筆道具のボディー）３２の前端の適当な位置に装着され、感知部３６１がハンドルバー３２の表面に露出することで、受検者はしっかり筆を握れば親指（又は人差し指）の尖端が温度感知ユニット３６の感知部３６１上に接触し押すことが可能である。
【００２０】
　Ａ−Ｄコンバータ３８は、ハンドルバー３２の内部に装着され、その機能が前実施例に近似し、温度感知ユニット３６により発生されるアナログ信号を物理量化に対応する関係のあるデジタル信号に転換可能である。
【００２１】
　演算処理機構４２はハンドルバー３２の内部に装着され、その機能が前実施例とほぼ同じであるが、違いは、本実施例における演算処理機構４２はＡ−Ｄコンバータ３８により出力されるデジタル信号を使用者の筆道具を握る手の皮膚温度に転換し、前述の数値修正演算を進行させ、使用者の正確な体温を得、出力することにある。
【００２２】
　表示機構４４はハンドルバー（筆道具のボディー）のやや後の端部に装着され、その表示部４４１が筆道具のボディーの表面に露出することであり、実務上、小型液晶表示装置（電子腕時計用に類似する）、又は　数字による表示装置（七段表示装置と称される）を使用するとしても、演算処理機構４２により出力される前述体温値を表示することも可能である。
【００２３】
　使用者（受検者）は普段筆道具７で何かを書く作業をすることにより筆ボディーの表面の表示機構４４から自らの体温を常に観察し、確実な健康管理を気楽に果たすことが可能である。又、使用者は筆道具７を一般の体温計にしてもよく、体温を知りたい時に手で握る方式により計測すればよい（何かを書く過程で使用するとは限らない）。
【００２４】
　上述の技術内容により、本実施例は日常生活では人が握られる各種の品物（車のハンドル、コンピューターのマウス等）に適用可能であると見受けられるため、使用者はその品物を操作すると同時に、自らの体温を気楽に検知することが可能である。
【００２５】
　図７に示すように、本考案の第三実施例（機構の構成）と前述の実施例との主な差異は、本実施例における温度感知機構５４はその他に、各回路機構に電気的に接続され、人の手が温度感知ユニット５６の感知範囲内に置かれるかを検知する感知ユニット５７を備えることにある。本実施例における感知ユニット５７は光センサーによる距離検知器（例えば赤外線センサー）となり、その外に微動スイッチ、薄膜スイッチ等を採用しても可能である。感知ユニット５７は前述の感知範囲内に人の手が置かれているのを検知したら確認信号を出力し、温度感知ユニット５６は皮膚温度の計測、及びその続きの演算処理を進行させ、体温値を求める。感知ユニット５７は前述の感知範囲内には人の手が置かれてないのを検知する場合、温度感知ユニット５６は室温を直ちに計測する。言い換えれば、感知ユニット５７を装着するのは、人の手が感知範囲内に位置するか否かを確認する機能、及び室温／体温転換計測をする機能を果たすことである。
【００２６】
　図８に示すのは本考案の第四実施例（機構の構成）である。本実施例における体温感知装置６０の特徴は、温度感知機構６２、Ａ−Ｄコンバータ６２、演算処理機構６６、及び表示機構６８の外に、使用者（受検者）にデータを演算処理機構６６のインターフェースに直接入力させるように演算処理機構６６と接続するデータ入力機構７２を備え、実務上、キーボード又は若干のボタンにしても可能である。データ入力機構７２により演算処理機構６６に入力されるデータは演算処理（特に前述の修正演算）を執行する際の依拠となる。例を挙げてみれば、人は性別、年齢及び体質によって、健康状態における基礎体温が明らかに異なり、皮膚温度と体温との差も異なるため、受検者は換算、修正の際の依拠又は、警告を出すタイミングの参考指標として、基礎体温（外の計量方式により求められる値）、性別、年齢などの基本データを演算処理機構６６に入力することが可能である。
【図面の簡単な説明】
【００２７】
【図１】本考案の第一実施例を応用するボディービルサイクルの使用状態を示す図である。
【図２】本考案の第一実施例における機構の構成を示す図である。
【図３】本考案の第一実施例を応用するジョギングマシンの使用状態を示す図である。
【図４】本考案の第一実施例によるもう一つの応用形態の外観を示す図である。
【図５】本考案の第二実施例を応用する筆道具の使用状態を示す図である。
【図６】本考案の第二実施例における機構の構成を示す図である。
【図７】本考案の第三実施例における機構の構成を示す図である。
【図８】本考案の第四実施例における機構の構成を示す図である。
【符号の説明】
【００２８】
１０　体温感知装置、１２　ハンドルバー、１４　温度感知機構、１６　温度感知ユニット、１８　Ａ−Ｄコンバータ、２２　演算処理機構、２３　表示機構、１６１　感知部、３０　体温感知装置、３２　ハンドルバー、３４　温度感知機構、３６　温度感知ユニット、３８　Ａ−Ｄコンバータ、４２　演算処理機構、４３　　表示機構、３６１　感知部、５４　体温感知装置、５６　体温感知ユニット、５７　環境感知ユニット、６０　体温感知装置、６２　温度感知機構、６４　Ａ−Ｄコンバータ、６６　演算処理機構、６８　表示機構、７２　データ入力機構
【図１】
0003100057.tif 000003
【図２】
0003100057.tif 000004
【図３】
0003100057.tif 000005
【図４】
0003100057.tif 000006
【図５】
0003100057.tif 000007
【図６】
0003100057.tif 000008
【図７】
0003100057.tif 000009
【図８】
0003100057.tif 000010